(57)【要約】【課題】  一部のケーブルの取り出しが容易でない電線保持具。【解決手段】  電線保持具１を切欠きＱに嵌着しても空隙１７は維持され、ここにアース線Ａを通して保持させることができる。アース線Ａは、これを略三角状の空隙１７に通して電線保持具１に保持させてから、この電線保持具１を切欠きＱに嵌着するとよい。電線保持具１を切欠きＱから抜かなければアース線Ａを取り外せないから、誤ってアース線Ａを取り外したり移動させるような不具合を防止できる。また、板材Ｐが板金であるから、空隙１７に保持したアース線Ａを板材Ｐに圧接させて両者を良好に導通させることができる。【選択図】  図４
2005191468.tif 000002
【特許請求の範囲】
【請求項１】
板材に設けられた切欠きに嵌着されて該切欠きに挿通された電線類を保持する電線保持具であって、
板状の底部と、該底部の両端にそれぞれ連設された一対の立上部と、
一方の前記立上部の上端部から延出されて先端部には係止突起が設けられた開閉部と、
他方の前記立上部側に設けられて前記係止突起を係止する係止突起受とを備えてなり、
前記係止突起受に前記係止突起を係止することで前記底部、一対の立上部及び開閉部によって略矩形の保持環を形成する
電線保持具において、
前記底部と前記立上部とが連設されるコーナー部分の外面側に前記底部の外面の延長面との間に間隙を形成する面取部を設けた
ことを特徴とする電線保持具。
【請求項２】
請求項１記載の電線保持具において、
前記底部の外面から該外面の延長面に沿って前記面取部側に延出されてから前記立上部に沿って屈曲し、前記面取部との間に略三角状の空隙を形成する腕状部を備えたことを特徴とする電線保持具。
【請求項３】
請求項２記載の電線保持具において、
前記腕状部は前記切欠きに嵌着された際に該切欠きの内縁部を挟持する機能を有することを特徴とする電線保持具。
【請求項４】
請求項１、２または３記載の電線保持具において、
前記切欠きに嵌着された際に前記板材に係止される抜止突起を備えたことを特徴とする電線保持具。
【請求項５】
請求項４記載の電線保持具において、
前記抜止突起は、前記面取部と一連とされていることを特徴とする電線保持具。
【発明の詳細な説明】
【技術分野】
【０００１】
本発明は、電線保持具の技術分野に属する。
【背景技術】
【０００２】
板金やプリント基板等の板材に略コの字状の切欠きを設けて、この切欠きに電線やケーブル等の電線類を通すことがある。この際、切欠きの縁（エッジ）でケーブル等が傷つけられるのを防ぐために、またケーブル等の位置を安定させるために、切欠きに挿通された電線類を保持する電線保持具が使用される。一例として特開平１１−５４９５９号公報に記載の電線保持具がある。
【特許文献１】特開平１１−５４９５９号公報
【発明の開示】
【発明が解決しようとする課題】
【０００３】
特許文献１に記載のような従来の電線保持具は、略コの字状或いは略Ｕ字状の部分を備えており、その上端の一方から延出された開閉部を他方側に係止させて形成される環状部分でケーブル等を保持する。従って、開閉部の係止を解除すれば保持しているケーブル等を取り出すこともできる。
【０００４】
この点は便利ではあるものの、中には位置を移動させるのは好ましくないケーブルもあるから、保持しているケーブルのどれでも容易に取り出すことができる構成では問題になることもある。
【課題を解決するための手段】
【０００５】
請求項１記載の電線保持具は、板材に設けられた切欠きに嵌着されて該切欠きに挿通された電線類を保持する電線保持具であって、
板状の底部と、該底部の両端にそれぞれ連設された一対の立上部と、一方の前記立上部の上端部から延出されて先端部には係止突起が設けられた開閉部と、他方の前記立上部側に設けられて前記係止突起を係止する係止突起受とを備えてなり、前記係止突起受に前記係止突起を係止することで前記底部、一対の立上部及び開閉部によって略矩形の保持環を形成する電線保持具において、
前記底部と前記立上部とが連設されるコーナー部分の外面側に前記底部の外面の延長面との間に間隙を形成する面取部を設けたことを特徴とする。
【０００６】
この電線保持具は、底部と立上部とが連設されるコーナー部分の外面側に前記底部の外面の延長面との間に間隙を形成する面取部を設けたので、板材に設けられた切欠きに嵌着された際に切欠きの隅と面取部との間に空間ができる。
【０００７】
この空間に電線やケーブル等の電線類を通すことができ、そこに通された電線類は、電線保持具を切欠きに嵌着したままでは引き抜く以外には取り外せない。従って、位置を移動させることが好ましくないケーブル等をこの空間に通しておけば、誤って移動させるような不具合を防止できる。
【０００８】
また、電線保持具が装着される板材が例えば板金等の導電性の板で、切欠きの隅と面取部との間の空間に挿通させて保持する電線類がアース線であるなら、面取部にてアース線を板材のエッジに圧接させて両者を良好に導通させることができる。
【０００９】
一方、保持環に通されている他の電線類は、開閉部を開ければ容易に取り外しできるし、また新たな電線類を追加することもできる。
請求項２記載の電線保持具は、請求項１記載の電線保持具において、
前記底部の外面から該外面の延長面に沿って前記面取部側に延出されてから前記立上部に沿って屈曲し、前記面取部との間に略三角状の空隙を形成する腕状部を備えたので、
切欠きの隅と面取部との間の空間に挿通させる電線類を略三角状の空隙に通して電線保持具に保持させてから、この電線保持具を切欠きに嵌着する作業手順を採用できる。勿論、電線保持具を嵌着してから略三角状の空隙に電線類を通してもよい。
【００１０】
請求項３記載の電線保持具は、請求項２記載の電線保持具において、
前記腕状部は前記切欠きに嵌着された際に該切欠きの内縁部を挟持する機能を有するので、腕状部にて電線保持具の嵌着を安定させることができる。
【００１１】
なお、切欠きの内縁部を挟持するための挟持部を腕状部の他に設けることも可能である。
請求項４記載の電線保持具は、請求項１、２または３記載の電線保持具において、
前記切欠きに嵌着された際に前記板材に係止される抜止突起を備えたので、電線保持具が切欠きから脱落するのを防止できる。
【００１２】
請求項５記載の電線保持具は、請求項４記載の電線保持具において、
前記抜止突起は、前記面取部と一連とされているので、電線保持具の外面形状が複雑化するのを避けることができる。
【発明を実施するための最良の形態】
【００１３】
次に、本発明の実施例により発明の最良の実施形態を説明する。なお、本発明は以下の実施例等に限定されるものではなく、本発明の要旨を逸脱しない範囲でさまざまに実施できることは言うまでもない。
［実施例１］
図１及び図２に示すように、ナイロン樹脂製の電線保持具１は、凹字状の本体２と本体２から延出された開閉部３とを備えている。
【００１４】
本体２には板状の底部４、その底部４の両端にそれぞれ連設された一対の立上部５、６が設けられている。
底部４及び立上部５、６の内面はほぼ平面状であるが、底部４と立上部５、６とが連設されたコーナー部分７ではアールになっている。
【００１５】
そのコーナー部分７の外面側には面取部１５が設けられている。面取部１５は底部４の外面４ａの延長面との角度が鋭角となる斜面であり、外面４ａの延長面との間に間隙が形成される。
【００１６】
この面取部１５の斜面は、立上部５、６の外面に設けられた抜止突起１６に連続しており、面取部１５と抜止突起１６とは一連になっている。また、抜止突起１６の上部は段差１６ａとなっている。
【００１７】
底部４の外面４ａからは、外面４ａの延長面に沿って面取部１５側に延出されてから立上部５、６に沿って屈曲し、面取部１５との間に略三角状の空隙１７を形成する腕状部１８が延出されている。腕状部１８は底部４の各端部につき２本ずつ対をなして設けられており、図４に示すように電線保持具１が板材Ｐに装着された際に板材Ｐを挟持する。また、立上部５、６の外面には挟持片１９が立設されており、これらも板材Ｐを挟持する。
【００１８】
開閉部３は立上部５の上端部から延出されている。開閉部３の接続部分は肉厚が他の部分よりも薄くされていて柔軟であり、ヒンジ部８となる。また開閉部３の先端には、Ｕ字状のバネ部９が設けられている。バネ部９には係止突起１０及びつまみ１１が備わっている。
【００１９】
立上部５と対をなす立上部６の上端部には、箱状の収容部１２と係止突起受１３とが設けられている。図４（ｂ）に示すように収容部１２にバネ部９を進入させて係止突起受１３に係止突起１０を係止させることで、底部４、一対の立上部５、６及び開閉部３によって略矩形の保持環Ｋが形成される。
【００２０】
この電線保持具１は、図４に示すように板材Ｐ（この例では板材Ｐは板金である。）に設けられた切欠きＱに嵌着して使用される。
切欠きＱの深さは電線保持具１の本体２の高さとほぼ対応しているが、幅は嵌着されていない（図１、２の状態）電線保持具１の立上部５、６の背面間よりもわずかに狭い。また、切欠きＱには嵌着される電線保持具１の抜止突起１６に対応して抜止段差２１が設けられている。
【００２１】
電線保持具１を板材Ｐに取り付けるには、まず対をなす腕状部１８同士の間に切欠きＱの入口となる角部分２２を挟持させる。
そして、図３（ａ）に示すように、立上部５、６同士を近づけるように弾性変形させて、抜止突起１６が縁部２３の内側になるようにして（例えば抜止突起１６を縁部２３に接触させながら）、切欠きＱの縁部２３に沿って電線保持具１を押し込む。
【００２２】
図３（ｂ）に示すように、抜止突起１６が抜止段差２１付近に来たところで、上述の弾性変形により下に凸の弧状に変形していた底部４が切欠きＱの底部分に接触する。ここでコーナー部分７を切欠きＱの下隅に押し込めるようにやや強い力を及ぼすと、抜止突起１６が弾性変形しながら抜止段差２１を越え、コーナー部分７を切欠きＱの下隅に収まる（図３（ｃ））。
【００２３】
抜止突起１６が抜止段差２１を越えたところで、電線保持具１に加えていた力を解除すれば、立上部５、６が弾性復帰し、抜止突起１６の段差１６ａが抜止段差２１に係止され、電線保持具１の切欠きＱへの嵌着が完了する。なお、腕状部１８及び挟持片１９は板材Ｐの縁部２３を挟持している。また、段差１６ａが抜止段差２１に係止されているので、電線保持具１を切欠きＱから抜き取るのは容易ではない（不可能なわけではない）。
【００２４】
図４に示すように、空隙１７は、電線保持具１が切欠きＱに嵌着されても維持されており、ここに電線Ａ（この例では被覆無しのアース線Ａ）を通して保持させることができる。
【００２５】
電線保持具１を切欠きＱに嵌着させてからアース線Ａを空隙１７に挿通させてもよいし、予めアース線Ａを略三角状の空隙１７に通して電線保持具１に保持させてから、この電線保持具１を切欠きＱに嵌着する手順でもよい。
【００２６】
いずれにしても、電線保持具１を切欠きＱから抜かなければアース線Ａを取り外せないから（アース線Ａを引き抜く場合は別として）、誤ってアース線Ａを取り外したり移動させるような不具合を防止できる。
【００２７】
また、電線保持具１が装着される板材Ｐが板金であるから、略三角状の空隙１７に保持したアース線Ａを板材Ｐのエッジに圧接させて両者を良好に導通させることができる。
一方、凹字状の本体２の内側には、従来と同様に電線Ｂ（この例ではケーブルＢ）を通せる。そして、図４（ｂ）に示すように、ヒンジ部８を屈曲させて開閉部３を倒して、収容部１２にバネ部９を進入させて係止突起受１３に係止突起１０を係止させれば、底部４、一対の立上部５、６及び開閉部３によって略矩形の保持環Ｋが形成されるので、保持環Ｋに挿通させたケーブルＢは電線保持具１から外れなくなる。
【００２８】
勿論、係止突起受１３と係止突起１０との係止はつまみ１１に力を加えれば容易に解除できるから、上記とは逆に開閉部３を立たせて保持環Ｋを開放してケーブルＢを取り出したり、また新たなケーブルＢを追加することもできる。
［実施例２］
実施例１の電線保持具１よりもサイズが小さい電線保持具１ａを実施例２として図５、６に示す。寸法的な違いを除けば実施例１と同様であるから、図５、６には、実施例１の対応部分と同符号を付して説明は省略する。
【図面の簡単な説明】
【００２９】
【図１】実施例１の電線保持具の説明図であり、（ａ）は正面図、（ｂ）は左側面図、（ｃ）は右側面図、（ｄ）は平面図、（ｅ）は底面図である。
【図２】実施例１の電線保持具の説明図であり、（ａ）は背面図、（ｂ）は断面図である。
【図３】実施例１の電線保持具を切欠きに嵌着する手順の説明図。
【図４】実施例１の電線保持具の使用状態の説明図であり、（ａ）は開閉部を開いた状態、（ｂ）は閉じた状態を示している。
【図５】実施例２の電線保持具の説明図であり、（ａ）は正面図、（ｂ）は左側面図、（ｃ）は右側面図、（ｄ）は平面図、（ｅ）は底面図である。
【図６】実施例２の電線保持具の説明図であり、（ａ）は背面図、（ｂ）は断面図である。
【符号の説明】
【００３０】
１、１ａ・・・電線保持具、
３・・・開閉部、
４・・・底部、
４ａ・・・外面、
５、６・・・立上部、
７・・・コーナー部分、
８・・・ヒンジ部、
１０・・・係止突起、
１３・・・係止突起受、
１５・・・面取部、
１６・・・抜止突起、
１７・・・空隙、
１８・・・腕状部、
Ａ・・・アース線（電線）、
Ｂ・・・ケーブル（電線）、
Ｋ・・・保持環、
Ｐ・・・板材、
Ｑ・・・切欠き。
【図１】
2005191468.tif 000003
【図２】
2005191468.tif 000004
【図３】
2005191468.tif 000005
【図４】
2005191468.tif 000006
【図５】
2005191468.tif 000007
【図６】
2005191468.tif 000008